(57)【特許請求の範囲】
【請求項１】
ワイヤレス通信のための方法において、
サイクリックプレフィックスと有効部分とを含んでいる、第１の直交周波数分割多重（ＯＦＤＭ）ベースのシンボルを受信することと、
初期受信機利得に基づいて、前記第１のＯＦＤＭベースのシンボルをスケーリングすることと、
前記第１のＯＦＤＭベースのシンボルのサイクリックプレフィックスに基づいて、前記初期受信機利得を調整することとを含み、
前記初期受信機利得を調整することは、
前記第１のＯＦＤＭベースのシンボルのサイクリックプレフィックス中の１組のサンプルの電力を
【数１】
0005497071.tif 000007
但し、InおよびQnは、ｎ番目のサンプルの同相成分および直交成分であり、Pcpはサイクリックプレフィックス中のサンプルの測定された電力、Sはサイクリックプレフィックス中の最初のサンプル数を表す、
に基づいて測定することと、前記測定された電力に基づいて、
【数２】
0005497071.tif 000008
但し、gadjは調整された受信機利得を表し、Ptargetは、受信ＯＦＤＭシンボルに対するターゲット電力を表す、
を用いて前記初期受信機利得を調整することとを含み、
前記１組のサンプルは、前記サイクリックプレフィックス中の、予め定められている数の最も早いサンプルを除外する、方法。
【請求項２】
前記第１のＯＦＤＭベースの有効部分に先立って、前記調整された受信機利得を適用することと、
前記有効部分を処理して、少なくとも１つの送信機により送られた少なくとも１つの信号を回復することとをさらに含む請求項１記載の方法。
【請求項３】
前記初期受信機利得は、前記第１のＯＦＤＭベースのシンボルに対するターゲット電力にさらに基づいて調整される請求項１記載の方法。
【請求項４】
前記初期受信機利得を調整することは、
前記第１のＯＦＤＭベースのシンボルのサイクリックプレフィックス中の１組のサンプルの中で、しきい値を超える電力を有するサンプルの数をカウントすることと、
前記しきい値を超える電力を有するサンプルの数に基づいて、前記初期受信機利得を調整することとを含む請求項１記載の方法。
【請求項５】
前記初期受信機利得を選択することと、
前記第１のＯＦＤＭベースのシンボルの開始において、前記初期受信機利得を適用することとをさらに含む請求項１記載の方法。
【請求項６】
前記初期受信機利得を選択することは、
前記第１のＯＦＤＭベースのシンボルにおいて送信することが予期される少なくとも１つの送信機を識別することと、
前記少なくとも１つの送信機に対する、予測される受信電力レベルに基づいて、前記初期受信機利得を決定することとを含む請求項５記載の方法。
【請求項７】
前記初期受信機利得を選択することは、
少なくとも１つの前のＯＦＤＭベースのシンボルにおける前記少なくとも１つの送信機から受信した信号に基づいて、前記少なくとも１つの送信機のそれぞれに対する受信電力レベルを決定することと、
前記少なくとも１つの送信機のそれぞれの受信電力レベルに基づいて、前記予測される受信電力レベルを決定することとをさらに含む請求項６記載の方法。
【請求項８】
前記初期受信機利得を選択することは、異なる受信機利得のパターンを繰り返すことにより、前記初期受信機利得を選択することを含む請求項５記載の方法。
【請求項９】
前記初期受信機利得を選択することは、前記初期受信機利得を予め定められている値に設定することを含む請求項５記載の方法。
【請求項１０】
前記第１のＯＦＤＭベースのシンボルに続いて、第２のＯＦＤＭベースのシンボルを受信することと、
前記第１のＯＦＤＭベースのシンボルに対する前記調整された受信機利得に基づいて、第２の受信機利得を決定することと、
前記第２の受信機利得に基づいて、前記第２のＯＦＤＭベースのシンボルをスケーリングすることとをさらに含み、
前記第１および第２のＯＦＤＭベースのシンボルは、同じ組の送信機を有する請求項１記載の方法。
【請求項１１】
第２の受信機利得を決定することは、前記第１のＯＦＤＭベースのシンボルの有効部分と、前記第２のＯＦＤＭベースのシンボルのサイクリックプレフィックスとのうちの少なくとも１つに基づいて、前記調整された受信機利得を更新して、前記第２の受信機利得を取得することを含む請求項１０記載の方法。
【請求項１２】
前記第１および第２のＯＦＤＭベースのシンボルは、ピアディスカバリチャネルまたはデータチャネルに対するものである請求項１０記載の方法。
【請求項１３】
前記第１のＯＦＤＭベースのシンボルに続いて、第２のＯＦＤＭベースのシンボルを受信することと、
第２の初期受信機利得に基づいて、前記第２のＯＦＤＭベースのシンボルをスケーリングすることと、
前記第２のＯＦＤＭベースのシンボルのサイクリックプレフィックスに基づいて、前記第２の初期受信機利得を調整することとをさらに含み、
前記第１および第２のＯＦＤＭベースのシンボルは、異なる組の送信機を潜在的に有する請求項１記載の方法。
【請求項１４】
前記第１および第２のＯＦＤＭベースのシンボルは、トラフィック制御チャネル、クイックページングチャネルまたはページングチャネルに対するものである請求項１３記載の方法。
【請求項１５】
前記第１のＯＦＤＭベースのシンボルは、ＯＦＤＭシンボルまたは単一搬送波周波数分割多重（ＳＣ−ＦＤＭ）シンボルを含む請求項１記載の方法。
【請求項１６】
ワイヤレス通信のための装置において、
サイクリックプレフィックスと有効部分とを含んでいる、第１の直交周波数分割多重（ＯＦＤＭ）ベースのシンボルを受信し、初期受信機利得に基づいて、前記第１のＯＦＤＭベースのシンボルをスケーリングし、前記第１のＯＦＤＭベースのシンボルのサイクリックプレフィックスに基づいて、前記初期受信機利得を調整するように構成されている少なくとも１つのプロセッサを具備し、
前記少なくとも１つのプロセッサは、前記第１のＯＦＤＭベースのシンボルのサイクリックプレフィックス中の１組のサンプルの電力を
【数３】
0005497071.tif 000009
但し、InおよびQnは、ｎ番目のサンプルの同相成分および直交成分であり、Pcpはサイクリックプレフィックス中のサンプルの測定された電力、Sはサイクリックプレフィックス中の最初のサンプル数を表す、
に基づいて測定し、前記測定された電力に基づいて、
【数４】
0005497071.tif 000010
但し、gadjは調整された受信機利得を表し、Ptargetは、受信ＯＦＤＭシンボルに対するターゲット電力を表す、
を用いて前記初期受信機利得を調整するように構成され、
前記１組のサンプルは、前記サイクリックプレフィックス中の、予め定められている数の最も早いサンプルを除外する、装置。
【請求項１７】
前記少なくとも１つのプロセッサは、前記第１のＯＦＤＭベースのシンボルにおいて送信することが予期される少なくとも１つの送信機を識別し、前記少なくとも１つの送信機に対する、予測される受信電力レベルに基づいて、前記初期受信機利得を決定し、前記第１のＯＦＤＭベースのシンボルの開始において、前記初期受信機利得を適用するように構成されている請求項１６記載の装置。
【請求項１８】
前記少なくとも１つのプロセッサは、異なる受信機利得のパターンを繰り返すことにより、前記初期受信機利得を選択し、前記第１のＯＦＤＭベースのシンボルの開始において、前記初期受信機利得を適用するように構成されている請求項１６記載の装置。
【請求項１９】
前記少なくとも１つのプロセッサは、前記第１のＯＦＤＭベースのシンボルに続いて、第２のＯＦＤＭベースのシンボルを受信し、前記第１のＯＦＤＭベースのシンボルに対する前記調整された受信機利得に基づいて、第２の受信機利得を決定し、前記第２の受信機利得に基づいて、前記第２のＯＦＤＭベースのシンボルをスケーリングするように構成されており、
前記第１および第２のＯＦＤＭベースのシンボルは、同じ組の送信機を有する請求項１６記載の装置。
【請求項２０】
前記少なくとも１つのプロセッサは、前記第１のＯＦＤＭベースのシンボルに続いて、第２のＯＦＤＭベースのシンボルを受信し、第２の初期受信機利得に基づいて、前記第２のＯＦＤＭベースのシンボルをスケーリングし、前記第２のＯＦＤＭベースのシンボルのサイクリックプレフィックスに基づいて、前記第２の初期受信機利得を調整するように構成されており、
前記第１および第２のＯＦＤＭベースのシンボルは、異なる組の送信機を潜在的に有する請求項１６記載の装置。
【請求項２１】
ワイヤレス通信のための装置において、
サイクリックプレフィックスと有効部分とを含んでいる、第１の直交周波数分割多重（ＯＦＤＭ）ベースのシンボルを受信する手段と、
初期受信機利得に基づいて、前記第１のＯＦＤＭベースのシンボルをスケーリングする手段と、
前記第１のＯＦＤＭベースのシンボルのサイクリックプレフィックスに基づいて、前記初期受信機利得を調整する手段とを具備し、
前記初期受信機利得を調整する手段は、前記第１のＯＦＤＭベースのシンボルのサイクリックプレフィックス中の１組のサンプルの電力を
【数５】
0005497071.tif 000011
但し、InおよびQnは、ｎ番目のサンプルの同相成分および直交成分であり、Pcpはサイクリックプレフィックス中のサンプルの測定された電力、Sはサイクリックプレフィックス中の最初のサンプル数を表す、
に基づいて測定する手段と、前記測定された電力に基づいて、
【数６】
0005497071.tif 000012
但し、gadjは調整された受信機利得を表し、Ptargetは、受信ＯＦＤＭシンボルに対するターゲット電力を表す、
を用いて前記初期受信機利得を調整する手段とを備え、
前記１組のサンプルは、前記サイクリックプレフィックス中の、予め定められている数の最も早いサンプルを除外する、装置。
【請求項２２】
前記第１のＯＦＤＭベースのシンボルにおいて送信することが予期される少なくとも１つの送信機を識別する手段と、
前記少なくとも１つの送信機に対する、予測される受信電力レベルに基づいて、前記初期受信機利得を決定する手段と、
前記第１のＯＦＤＭベースのシンボルの開始において、前記初期受信機利得を適用する手段とをさらに具備する請求項２１記載の装置。
【請求項２３】
異なる受信機利得のパターンを繰り返すことにより、前記初期受信機利得を選択する手段と、
前記第１のＯＦＤＭベースのシンボルの開始において、前記初期受信機利得を適用する手段とをさらに具備する請求項２１記載の装置。
【請求項２４】
前記第１のＯＦＤＭベースのシンボルに続いて、第２のＯＦＤＭベースのシンボルを受信する手段と、
前記第１のＯＦＤＭベースのシンボルに対する前記調整された受信機利得に基づいて、第２の受信機利得を決定する手段と、
前記第２の受信機利得に基づいて、前記第２のＯＦＤＭベースのシンボルをスケーリングする手段とをさらに具備し、
前記第１および第２のＯＦＤＭベースのシンボルは、同じ組の送信機を有する請求項２１記載の装置。
【請求項２５】
前記第１のＯＦＤＭベースのシンボルに続いて、第２のＯＦＤＭベースのシンボルを受信する手段と、
第２の初期受信機利得に基づいて、前記第２のＯＦＤＭベースのシンボルをスケーリングする手段と、
前記第２のＯＦＤＭベースのシンボルのサイクリックプレフィックスに基づいて、前記第２の初期受信機利得を調整する手段とをさらに具備し、
前記第１および第２のＯＦＤＭベースのシンボルは、異なる組の送信機を潜在的に有する請求項２１記載の装置。
【請求項２６】
コンピュータに、請求項１乃至１５のうちの１つの請求項に従う方法を実行させるプログラム。
【請求項２７】
記憶されたプログラムを有するコンピュータ読み取り可能な記録デバイス、ここにおいて、前記プログラムは、コンピュータに、請求項１乃至１５のうちの１つの請求項に従う方法を実行させるためのプログラムである。
【発明の詳細な説明】
【分野】
【０００１】
本開示は一般に、通信に関し、より詳細には、ワイヤレス通信ネットワーク中の受信機において自動利得制御（ＡＧＣ）を実行する技術に関する。
【背景】
【０００２】
ワイヤレス通信ネットワークは、音声や、ビデオや、パケットデータや、メッセージングや、ブロードキャストなどのような、さまざまな通信サービスを提供するために広く展開されている。これらのワイヤレスネットワークは、利用可能なネットワークリソースを共有することによって、複数のユーザに対して通信をサポートできる。そのようなワイヤレスネットワークの例は、ワイヤレスワイドエリアネットワーク（ＷＷＡＮ）と、ワイヤレスメトロポリタンエリアネットワーク（ＷＭＡＮ）と、ワイヤレスローカルエリアネットワーク（ＷＬＡＮ）とを含む。
【０００３】
ワイヤレス通信ネットワークにおいて、受信機（例えば、端末）は、基地局および／または他の端末であってもよい送信機から信号を受信する。送信機は、同一または異なる電力レベルで、それらの信号を送信してもよい。さらに、送信機は、受信機に対して異なる距離に位置していてもよく、それゆえに、受信機に対して異なるパス損失を有する可能性がある。受信機は、異なる受信電力レベルで、異なる送信機から信号を受信し得る。（ｉ）強い信号が、受信機においてアナログ−デジタルコンバータ（ＡＤＣ）のクリッピングを回避するために減衰され、（ｉｉ)弱い信号が、フルのＡＤＣレンジを占有するために増幅されるように、受信機は、ＡＧＣを実行して、その利得を調整してもよい。適正な受信機利得を使用することにより、ＡＤＣのクリッピングと、ＡＤＣのクリッピングに起因する劣化との両方を回避できる。したがって、受信機においてＡＧＣを効果的に実行することが望ましい。
【概要】
【０００４】
直交周波数分割多重（ＯＦＤＭ）シンボルまたは単一搬送波周波数分割多重（ＳＣ−ＦＤＭ）シンボルのサイクリックプレフィックスに基づいてＡＧＣを実行するための技術をここで記述する。１つの設計において、受信機は、サイクリックプレフィックスと有効部分とを含んでいるＯＦＤＭベースのシンボル（例えば、ＯＦＤＭシンボルまたはＳＣ−ＯＦＤＭシンボル）を受信してもよい。受信機は、初期受信機利得に基づいて、ＯＦＤＭベースのシンボルをスケーリングし（例えば、増幅するか、または減衰させる）、ＯＦＤＭベースのシンボルのサイクリックプレフィックスに基づいて、初期受信機利得を調整し、ＯＦＤＭベースのシンボルの有効部分に先立って、調整した受信機利得を適用してもよい。受信機は、次に、有効部分を処理して、少なくとも１つの送信機によって送られた少なくとも１つの信号を回復してもよい。
【０００５】
受信機は、初期受信機利得を選択し、ＯＦＤＭベースのシンボルの開始において、この初期受信機利得を適用してもよい。１つの設計において、受信機は、ＯＦＤＭベースのシンボルにおいて送信することが予期される１つ以上の送信機を識別してもよく、識別した送信機に対する、予測される受信電力レベルに基づいて、初期受信機利得を決定してもよい。別の設計において、受信機は、異なる受信機利得のパターンを繰り返すことによって、初期受信機利得を選択してもよい。さらに別の設計において、受信機は、初期受信機利得を予め定められている値に設定してもよい。いずれのケースにおいても、適切な初期受信機利得を選択することにより、受信機利得に対する調整量を低減させてもよい。
【０００６】
受信機は、さまざまな方法で受信機利得を調整してもよい。１つの設計において、受信機は、ＯＦＤＭベースのシンボルのサイクリックプレフィックス中の１組のサンプルの電力を測定してもよく、測定した電力と、ターゲット電力とに基づいて、受信機利得を調整してもよい。別の設計において、受信機は、１組のサンプルの中でしきい値を超える電力を有するサンプルの数をカウントしてもよく、しきい値を超える電力を有するサンプルの数に基づいて、受信機利得を調整してもよい。
【０００７】
受信機は、１つ以上の追加のＯＦＤＭベースのシンボルを受信してもよい。１つの設計において、異なる１組の送信機が各ＯＦＤＭベースのシンボルにおいて送信できる場合に、受信機は、各ＯＦＤＭベースのシンボルに対して独立してＡＧＣを実行してもよい。別の設計において、同じ１組の送信機が、各ＯＦＤＭベースのシンボルにおいて送信する場合に、受信機は、ＯＦＤＭベースのシンボルにわたって受信機利得を更新してもよい。
【０００８】
本開示のさまざまな観点および特徴を、以下でさらに詳細に記述する。
【図面の簡単な説明】
【０００９】
【図１】図１は、ワイヤレス通信ネットワークを示す。
【図２】図２は、ピアツーピア通信に対するメッセージフローを示す。
【図３】図３は、送信構造を示す。
【図４Ａ】図４Ａは、ＯＦＤＭ変調器のブロック図を示す。
【図４Ｂ】図４Ｂは、ＳＣ−ＦＤＭ変調器のブロック図を示す。
【図４Ｃ】図４Ｃは、ＯＦＤＭベースのシンボルを示す。
【図５】図５は、複数の送信機から端末への送信を示す。
【図６】図６は、受信したＯＦＤＭシンボルに対してＡＧＣを実行する設計を示す。
【図７Ａ】図７Ａは、受信したＯＦＤＭシンボルのシーケンスに対してＡＧＣを実行する１つの設計を示す。
【図７Ｂ】図７Ｂは、受信したＯＦＤＭシンボルのシーケンスに対してＡＧＣを実行する１つの設計を示す。
【図８】図８は、ピアディスカバリ信号に対するＡＧＣを示す。
【図９】図９は、クイックページング信号に対するＡＧＣを示す。
【図１０】図１０は、ＡＧＣを実行するためのプロセスを示す。
【図１１】図１１は、ＡＧＣを実行するための装置を示す。
【図１２】図１２は、２つの端末のブロック図を示す。
【詳細な説明】
【００１０】
ここで記述するＡＧＣ技術を、ＷＷＡＮや、ＷＭＡＮや、ＷＬＡＮなどのような、さまざまなワイヤレス通信ネットワークに対して使用してもよい。用語“ネットワーク”および“システム”は、区別なく使用されることが多い。ＷＷＡＮは、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークなどであってもよい。ＣＤＭＡネットワークは、ユニバーサル地上無線アクセス（ＵＴＲＡ）や、ｃｄｍａ２０００などのような無線技術を実現してもよい。ＴＤＭＡネットワークは、移動体通信用グローバルシステム（ＧＳＭ（登録商標））のような無線技術を実現してもよい。ＯＦＤＭＡネットワークは、進化型ＵＴＲＡ（Ｅ−ＵＴＲＡ）や、ウルトラモバイルブロードバンド（ＵＭＢ）や、フラッシュ−ＯＦＤＭ（登録商標）などのような無線技術を実現してもよい。ロングタームエボリューション（ＬＴＥ）は、Ｅ−ＵＴＲＡを使用する“第３世代パートナーシップ・プロジェクト”（３ＧＰＰ）の、これから出てくるリリースであり、ダウンリンク上でＯＦＤＭＡを用い、アップリンク上でＳＣ−ＦＤＭＡを用いる。ＷＬＡＮは、(Ｗｉ−Ｆｉとも呼ばれている）ＩＥＥＥ８０２．１１ファミリの標準規格や、ハイパーランなどにおける１つ以上の標準規格を実現してもよい。ＷＭＡＮは、（ＷｉＭＡＸとも呼ばれている）ＩＥＥＥ８０２．１６ファミリの標準規格における１つ以上の標準規格を実現してもよい。ここで記述する技術は、上述したワイヤレスネットワークおよび無線技術だけでなく、他のワイヤレスネットワークおよび無線技術に対しても使用してもよい。
【００１１】
図１は、ワイヤレス通信ネットワーク１００を示し、ワイヤレス通信ネットワーク１００は、多数の基地局および多数の端末を含んでいてもよい。簡単にするために、１つの基地局１１０と、４つの端末１２０ａ、１２０ｂ、１２０ｃおよび１２０ｄとだけを、図１中で示している。基地局は、端末と通信する固定局であってもよく、アクセスポイント、ノードＢ、進化型ノードＢ（ｅＮＢ）などと呼ばれることもある。端末１２０は、ネットワーク全体にわたって分散していてもよく、各端末は、静止型または移動型であってもよい。端末はまた、アクセス端末、移動局、ユーザ機器（ＵＥ）、加入者ユニット、局などと呼ばれることもある。端末は、セルラ電話機や、パーソナルデジタルアシスタント（ＰＤＡ）や、ワイヤレスモデムや、ワイヤレス通信デバイスや、ハンドヘルドデバイスや、ラップトップコンピュータや、コードレス電話機や、ワイヤレスローカルループ（ＷＬＬ）局などであってもよい。端末は基地局と通信してもよく、または、基地局から情報（例えば、タイミング情報）を受信してもよい。代わりに、または、さらに、端末は、他の端末とピアツーピアで通信してもよい。
【００１２】
図２は、ワイヤレスネットワーク１００中の２つの端末ＡおよびＢ間のピアツーピア通信に対して使用してもよいメッセージフロー２００の設計を示す。最初に（例えば、電源投入において）、端末ＡおよびＢは、それぞれ、基地局１１０からブロードキャスト情報を受信してもよい（ステップ１）。各端末は、ブロードキャスト情報から、タイミング情報と、ことによると他の情報とを取得してもよい。端末Ａは、ピアディスカバリ信号を定期的にブロードキャストして、近傍内の他の端末が端末Ａを検出することを可能にしてもよい（ステップ２）。同様に、端末Ｂは、ピアディスカバリ信号を定期的にブロードキャストして、近傍内の他の端末が端末Ｂを検出することを可能にしてもよい（ステップ３）。端末ＡおよびＢは、ピア発見信号により、互いの存在を検出してもよい。その後、端末ＡおよびＢは、送るデータがあるたびに、互いにページングしてもよい（ステップ４）。次に、接続を確立してもよく、端末ＡおよびＢは、接続により、シグナリングデータおよびトラフィックデータを交換してもよい（ステップ５）。
【００１３】
図２は、ピアツーピア通信のための例示的なメッセージフローを示す。一般に、ピアツーピア通信のためのメッセージフローは、任意の数のメッセージと、任意のタイプのメッセージとを含んでいてもよい。
【００１４】
図３は、ワイヤレスネットワーク１００に対して使用してもよい送信構造３００の設計を示す。送信タイムラインは、スーパーフレームの単位に分割されていてもよい。各スーパーフレームは、固定または可変の時間分をカバーしてもよく、多数のフレームに分割されていてもよい。図３中で示した設計において、異なるタイプの信号または情報を、異なるフレームで送ってもよい。いくつかのフレームを、ピアディスカバリ信号を送るために使用してもよく、ピアディスカバリフレームと呼んでもよい。他のいくつかのフレームを、ページング信号を送るために使用してもよく、ページングフレームと呼んでもよい。多くの、またはほとんどのフレームを、データを送るために使用してもよく、トラフィックフレームと呼んでもよい。さらに、他のタイプのフレームを規定してもよい。異なるタイプのフレームは、同じまたは異なる時間分を有していてもよい。
【００１５】
図３はまた、ピアディスカバリフレームと、ページングフレームと、トラフィックフレームとの設計を示す。ピアディスカバリフレームに対して、ピアディスカバリチャネルを端末により使用して、ピアディスカバリ信号を送ってもよい。ページングフレームに対して、クイックページングチャネル（ＱＰＣＨ）を端末により使用して、端末がページングフレーム中でページングメッセージを送るかどうかを示してもよい。ページングチャネル（ＰＣＨ）が、端末からのページングメッセージを搬送してもよい。トラフィックフレームに対して、トラフィック制御チャネルが、端末により送られる制御情報を搬送してもよい。パイロットチャネルが、端末により送られるパイロットを搬送してもよい。肯定応答（ＡＣＫ）チャネルが、以前に送られたパケットに対するＡＣＫを搬送してもよい。チャネル品質インジケータ（ＣＱＩ）チャネルが、端末により送られるＣＱＩ情報を搬送してもよい。データチャネルが、端末により送られるトラフィックデータを搬送してもよい。一般に、任意の数のチャネルおよび任意のチャネルのタイプに対して、各フレームを任意の数のサブフレームに分割してもよい。端末は、異なるチャネルに対して異なる方法で信号を送ってもよい。
【００１６】
ネットワークは、ＯＦＤＭおよび／またはＳＣ−ＦＤＭを利用してもよい。ＯＦＤＭおよびＳＣ−ＦＤＭは、システム帯域幅を、一般にトーン、ビンなどとも呼ばれている、複数（Ｎ本）の直交する副搬送波に分割する。各副搬送波を、データにより変調してもよい。一般に、変調シンボルが、ＯＦＤＭでは周波数領域中で送られ、ＳＣ−ＦＤＭでは時間領域中で送られる。
【００１７】
図４Ａは、ＯＦＤＭ変調器４２０の設計のブロック図を示す。ＯＦＤＭ変調器４２０内では、シンボル−副搬送波マッパ４２２が、変調シンボルを受信し、変調シンボルを、送信に対して使用される副搬送波にマッピングし、ゼロの信号値を有するゼロシンボルを、残りの副搬送波にマッピングしてもよい。逆高速フーリエ変換（ＩＦＦＴ）ユニット４２４が、Ｎ本の総副搬送波に対する、Ｎ個のマッピングされたシンボルを受け取って、Ｎ個のマッピングされたシンボルを、Ｎ−ポイントＩＦＦＴにより時間領域に変換し、一般に有効部分と呼ばれている、Ｎ個の時間領域サンプルを提供してもよい。各サンプルは、１つの同じ期間で送られる複素数値である。サイクリックプレフィックス発生器４２６が、有効部分の最後のＣ個のサンプルをコピーして、これらのＣ個のサンプルを有効部分の前部に追加して、Ｎ＋Ｃ個のサンプルを含んでいるＯＦＤＭシンボルを取得してもよい。コピーされた部分は、サイクリックプレフィックスと呼ばれ、Ｃは、サイクリックプレフィックスの長さである。サイクリックプレフィックスは、周波数選択性フェージングによりもたらされるシンボル間干渉（ＩＳＩ）を抑制するために使用される。ＯＦＤＭシンボルは、１つのＯＦＤＭシンボル期間（または単に、１つのシンボル期間）中に送ってもよい。
【００１８】
図４Ｂは、ＳＣ−ＦＤＭ変調器４１０の設計のブロック図を示し、ＳＣ−ＦＤＭ変調器４１０は、ＯＦＤＭ変調器４２０が後に続く離散フーリエ変換（ＤＦＴ）ユニット４１２を含む。ＤＦＴユニット４１２は、Ｍ個の変調シンボルを受け取り、これらの変調シンボルをＭ−ポイントＤＦＴにより周波数領域に変換し、Ｍ個の周波数領域のシンボルを提供してもよい。Ｍ個の周波数領域のシンボルを、シンボル−副搬送波マッパ４２２によりＭ本の副搬送波にマッピングして、ＩＦＦＴユニット４２４により時間領域に変換して、サイクリックプレフィックス発生器４２６によりサイクリックプレフィックスを追加してＳＣ−ＦＤＭシンボルを取得してもよい。
【００１９】
図４Ｃは、ＯＦＤＭシンボルまたはＳＣ−ＦＤＭシンボルの構造を示す。ＯＦＤＭ／ＳＣ−ＦＤＭシンボルは、サイクリックプレフィックスに対するＣ個のサンプルと、それに続く、有効部分に対するＮ個のサンプルとを含んでいる。有効部分は、本体部分と呼ばれることもあり、または、他の何らかの用語で呼ばれることもある。ＯＦＤＭ／ＳＣ−ＦＤＭシンボルは、１つのシンボル期間で送ってもよい。
【００２０】
受信機における復調器は、Ｎ＋Ｃ個のサンプルを含んでいるＯＦＤＭシンボルまたはＳＣ−ＦＤＭシンボルを受信してもよく、サイクリックプレフィックスのすべてまたは一部を廃棄してもよい。復調器は次に、廃棄した部分の後の次のＮ個のサンプルを処理して、変調シンボルを回復してもよい。復調器は、Ｎ−ポイント高速フーリエ変換（ＦＦＴ）により、Ｎ個のサンプルを周波数領域に変換して、Ｎ個の受信シンボルを取得してもよい。復調器はさらに、ＯＦＤＭまたはＳＣ−ＦＤＭに対する受信シンボルを処理して、変調シンボルを回復してもよい。
【００２１】
一般に、ネットワークは、ＦＦＴのサイズおよびサイクリックプレフィックスの長さに対して、何らかの数秘術を利用してもよい。ＦＦＴのサイズ（Ｎ）は、副搬送波の総数に等しい。１つの設計において、隣接する副搬送間の間隔を固定してもよく、異なるＦＦＴのサイズを異なるシステム帯域幅に対して使用してもよい。別の設計において、システム帯域幅を固定してもよく、異なるＦＦＴのサイズを異なるチャネルに使用してもよい。１つの設計において、サイクリックプレフィックスの長さは、例えば、Ｃ＝Ｎ／４、Ｎ／８またはＮ／１６のような、ＦＦＴサイズの固定されたまたは設定可能なパーセンテージであってもよい。別の設計において、サイクリックプレフィックスの長さを、異なるＦＦＴサイズに対して固定してもよい。すべての設計に対して、ネットワーク中の予期される遅延スプレッドに基づいて、サイクリックプレフィックスの長さを規定してもよい。
【００２２】
表１は、異なるチャネルタイプに対する、異なるＦＦＴサイズと、固定されたサイクリックプレフィックス長との特定の設計を示す。この設計において、システム帯域幅は、固定されていてもよく（例えば、５ＭＨｚ）、副搬送波の間隔は、可変であってもよく、ＦＦＴサイズに依存していてもよい。ＦＦＴのサイズおよびサイクリックプレフィックスの長さを、他の方法で規定してもよい。
【表１】
0005497071.tif 000002
【００２３】
ここで記述するＡＧＣ技術を、ＯＦＤＭベースのシンボルに対して使用してもよい。ＯＦＤＭベースのシンボルは、ＯＦＤＭシンボル、ＳＣ−ＦＤＭシンボルなどであってもよい。ＯＦＤＭベースのシンボルは、（ｉ）Ｃ個のサンプルによって構成されるサイクリックプレフィックスと、（ｉｉ）それに続くＮ個のサンプルによって構成される有効部分とを含んでいてもよい。明瞭にするために、技術のいくつかの観点を、ＯＦＤＭシンボルに対して以下で記述する。
【００２４】
端末は、任意の所定の瞬間において、１つ以上の送信機から信号を受信し得る。端末は、端末におけるＡＤＣに対する所望の入力信号レベルを取得するために、ＡＧＣを実行してもよい。
【００２５】
図５は、Ｋ個の送信機１ないしＫから端末Ａへの送信を示し、ここでＫは、１またはより大きくてもよい。各送信機は、ワイヤレスチャネルにより、特定の送信電力レベルで信号を送信してもよい。端末Ａは、信号に対する送信電力レベルと、その送信機から端末Ａまでのパス損失とにより決定される受信電力レベルで、各送信機からの信号を受信してもよい。端末Ａは、Ｋ個のすべての送信機からの信号を含み、ＰRXの受信電力レベルを有する受信信号を取得してもよい。端末Ａは、ｇの受信機利得により受信信号をスケーリングしてもよく（例えば、増幅してもよく、または減衰させてもよい）、ＰINの入力電力レベルを有するＡＤＣ入力信号を取得してもよい。端末Ａは、受信機利得が１よりも大きい場合に受信信号を増幅し、または、受信機利得が１よりも小さい場合に受信信号を減衰させてもよい。
【００２６】
端末Ａは、ＡＧＣを実行して、ＡＤＣ入力信号に対してターゲット電力レベルを取得してもよい。ＡＧＣに対して、端末Ａは、（ｉ）入力電力レベルがターゲット電力レベルよりも低い場合に受信機利得を増加させ、または、（ｉｉ）入力電力レベルがターゲット電力レベルよりも高い場合に受信機利得を減少させてもよい。
【００２７】
１つの観点において、端末Ａは、受信ＯＦＤＭシンボルのサイクリックプレフィックスに基づいてＡＧＣを実行して、有効部分に対して使用する受信機利得を取得してもよい。同一の送信信号は、サイクリックプレフィックスと有効部分との両方に存在している。したがって、電力を測定でき、受信利得を決定するために使用されるトレーニング間隔として、サイクリックプレフィックスを使用してもよい。
【００２８】
図６は、端末Ａにおいて、受信ＯＦＤＭシンボルに対してＡＧＣを実行する設計を示す。受信ＯＦＤＭシンボルは、１つのシンボル期間中で異なる送信機により送信されたＯＦＤＭシンボルにより構成されていてもよい。送信されたＯＦＤＭシンボルは、異なる利得と伝搬遅延とにより端末Ａに到着し得る。
【００２９】
端末Ａは、例えば、基地局から取得したタイミング情報に基づいて、受信ＯＦＤＭシンボルの開始を知ってもよい。ＦＦＴ窓が、有効部分の始めまたはサイクリックプレフィックスの終端の近くにおいて開始するように、端末Ａは、サイズＮのＦＦＴ窓を置いてもよい。端末Ａは、ＦＦＴ窓中のＮ個のサンプルを処理して、送信機により送られた変調シンボルを回復してもよい。
【００３０】
図６中で示されているように、端末Ａは、ＦＦＴ窓に先行するＡＧＣ窓内のＬ個のサンプルに基づいて、ＡＧＣを実行してもよい。一般に、ＡＧＣに対して使用されるサンプルの数（Ｌ）は、サイクリックプレフィックス中のＣ個のサンプルのすべてまたはサブセットであってもよい。１つの設計において、端末Ａは、サイクリックプレフィックス中の最初のＳ個のサンプルをスキップしてもよく、ＡＧＣに対してこれらのＳ個のサンプルを使用することを回避してもよい。最初のＳ個のサンプルは、短い伝搬遅延を有する近くの送信機からの送信信号を含み得るのに対して、後続のサンプルは、端末Ａの検出範囲内のすべてまたは多くの送信機からの送信信号を含み得る。ネットワーク中の予期される遅延スプレッドや、各サンプルの継続時間などのような、さまざまな要因に基づいて、Ｓを選択してもよい。１つの設計において、Ｓは、例えば、Ｓ＝４のような、固定された値であってもよい。別の設計において、Ｓは、ＦＦＴのサイズや、サイクリックプレフィックスの長さなどに依存してもよい、設定可能な値であってもよい。両方の設計に対して、ＡＧＣ窓は、ＦＦＴ窓の開始前に、サンプルＳ＋１ないしＳ＋Ｌをカバーしてもよい。
【００３１】
端末Ａは、以下で記述するように、受信されるＯＦＤＭシンボルに対して、初期受信機利得ｇinitを決定してもよい。端末Ａは、受信ＯＦＤＭシンボルの開始において、この初期受信機利得を適用してもよい。１つの設計において、端末Ａは、次のように、ＡＧＣ窓中のＬ個のサンプルの電力を測定してもよい：
【数１】
0005497071.tif 000003
【００３２】
ここで、ＩnおよびＱnは、ｎ番目のサンプルの同相成分および直交成分であり、ＰCPは、サイクリックプレフィックス中のサンプルの測定された電力である。用語“電力”および“エネルギー”は、区別なく使用されることが多い。
【００３３】
サイクリックプレフィックス中の最初のＳ個のサンプルを廃棄することにより、次のＬ個のサンプルの測定電力ＰCPは、有効部分の電力のより正確な推定であり得る。別の設計において、端末Ａは、Ｐn＝Ｉn2＋Ｑn2として、各サンプルの電力を計算してもよく、例えば、有限インパルス応答（ＦＩＲ）フィルタまたは無限インパルス応答（ＩＩＲ）フィルタにより、サンプルの電力をフィルタリングしてもよい。端末Ａは、最後のサンプルＳ＋Ｌに対する、フィルタリングした電力を、測定電力として使用してもよい。端末Ａはまた、他の方法で、サイクリックプレフィックス中のサンプルの電力を測定してもよい。
【００３４】
１つの設計において、端末Ａは、次のように、測定した電力に基づいて、受信機利得を調整してもよい：
【数２】
0005497071.tif 000004
【００３５】
ここで、Ｐtargetは、受信ＯＦＤＭシンボルに対するターゲット電力であり、ｇadjは、調整された受信機利得である。
【００３６】
数式（２）中で示される設計において、調整された受信機利得を適用することにより、ＡＧＣ窓中のサンプルの電力が、ターゲット電力であるように、端末Ａは、受信機利得を調整してもよい。端末Ａは、受信ＯＦＤＭシンボル中の残りのサンプルに対して、調整された受信機利得を使用してもよい。
【００３７】
別の設計において、端末Ａは、サイクリックプレフィックス中のサンプルの電力を繰り返して取得して、受信機利得を調整してもよい。端末Ａは、各サンプルまたは各組のサンプルに対する測定電力を取得してもよい。端末Ａは、ターゲット電力に対して測定電力を比較してもよく、（ｉ）測定電力がターゲット電力を下回る場合に受信機利得を増加させるか、または（ｉｉ）測定電力がターゲット電力を上回る場合に受信機電力を減少させてもよい。
【００３８】
さらに別の設計において、端末Ａは、クリッピング検出を実行してもよく、受信機利得を調整して、所望のＡＤＣ入力信号レベルを取得してもよい。端末Ａは、ＡＧＣに対して使用されるＬ個のサンプルの中で、ＡＤＣによってクリッピングされる（すなわち、しきい値を上回る）サンプルの数をカウントしてもよい。送信信号が、正弦波の波形を有する場合、端末Ａは、ＡＤＣによりクリッピングされる（すなわち、しきい値を超える）サンプルの数に基づいて、信号ピークを推定できる。端末Ａは次に、信号ピークがＡＤＣによりクリッピングされないように受信機利得を調整してもよい。端末Ａは、クリッピングされたサンプルの数に対する受信機利得、のテーブルを記憶してもよい。このテーブルにおけるエントリを、コンピュータシミュレーションや、経験的測定値などに基づいて決定してもよい。端末Ａは、クリッピングされたサンプルのカウント数をテーブルに提供してもよく、テーブルから、調整された受信機利得を取得してもよい。波形が既知であるときに（例えば、正弦波）、また、波形が擬似ランダムであるときに、クリッピング検出に基づくＡＧＣを使用してもよい。
【００３９】
端末Ａはまた、サイクリックプレフィックスに基づく他の方法で、受信機利得を調整してもよい。一般に、端末Ａは、サイクリックプレフィックス中のサンプルに基づいて、１つ以上のメトリック（例えば、測定電力、クリップされるサンプルの数など）を決定してもよい。端末Ａは次に、メトリックに基づいて、受信機利得を調整してもよい。
【００４０】
１つの設計において、図６中で示されているように、端末Ａは、受信ＯＦＤＭシンボルの全有効部分に対して、調整された受信機利得ｇadjを使用してもよい。別の設計において、端末Ａは、有効部分中のサンプルの電力の測定を継続してもよく、測定した電力により受信機利得を更新してもよい。
【００４１】
図６は、１つの受信ＯＦＤＭシンボルに対するＡＧＣを示す。端末Ａは、受信ＯＦＤＭシンボルのシーケンスを取得し得る。端末Ａは、受信ＯＦＤＭシンボルのコンテンツ次第で、異なる方法で、ＯＦＤＭシンボルシーケンスに対してＡＧＣを実行してもよい。
【００４２】
図７Ａは、受信ＯＦＤＭシンボル１ないしＲのシーケンスに対してＡＧＣを実行する設計を示し、ここでＲは、任意の整数値であってもよい。この設計において、受信ＯＦＤＭシンボルは、同じ組の送信機からの信号を含んでいてもよい。端末Ａは、初期受信機利得ｇinit1を決定してもよく、第１のＯＦＤＭシンボルの開始において、この受信機利得を適用してもよい。端末Ａは、（例えば、最初のＳ個のサンプルを廃棄した後に）第１のＯＦＤＭシンボルのサイクリックプレフィックス中のサンプルの電力を測定してもよく、測定電力ＰCP1を取得してもよい。端末Ａは次に、（例えば、数式（２）中で示されているように）測定電力ＰCP1に基づいて、受信機利得を調整してもよく、第１のＯＦＤＭシンボルの有効部分に対して、調整された受信機利得ｇadj1を使用してもよい。
【００４３】
１つの設計において、端末Ａは、残りのすべての受信ＯＦＤＭシンボルに対して、調整された受信機利得ｇadj1を使用してもよい（図７Ａ中で示していない）。別の設計において、端末Ａは、（図７Ａ中で示しているように）各後続の受信ＯＦＤＭシンボルに対して受信機利得を更新してもよい。端末Ａは、サイクリックプレフィックスの開始において受信機利得を更新してもよく（図７Ａ中で示していない）、または、（図７Ａ中で示しているように）各後続のＯＦＤＭシンボルの有効部分の開始において受信機利得を更新してもよい。端末Ａは、第１のＯＦＤＭシンボルの有効部分の電力と、第２のＯＦＤＭシンボルのサイクリックプレフィックスの電力とを測定してもよく、測定された電力Ｐ2を取得してもよい。端末Ａは次に、測定電力Ｐ2に基づいて、受信機利得を更新してもよく、第２のＯＦＤＭシンボルの有効部分に対して、更新された受信機利得ｇadj2を適用してもよい。端末Ａは、各後続のＯＦＤＭシンボルに対して、プロセスを繰り返してもよい。
【００４４】
端末Ａは、さまざまな方法で、受信ＯＦＤＭシンボル中のサンプルの電力を測定してもよい。１つの設計において、端末Ａは、各サンプルの電力を計算してもよく、サンプルのエネルギーをフィルタリングしてもよい。各更新の時点において、端末Ａは、最新のフィルタリングされた電力値を使用して、受信機利得を更新してもよい。別の設計において、端末Ａは、受信機利得が更新されるたびに、電力測定を再開してもよく、最後の更新の時点から現在の更新の時点までの測定期間に対する、測定電力を取得してもよい。端末Ａは次に、測定電力を使用して、受信機利得を更新してもよい。端末Ａはまた、図７Ａ中の受信ＯＦＤＭシンボルに対して、他の方法で、電力を測定して受信機利得を更新してもよい。
【００４５】
図７Ｂは、受信ＯＦＤＭシンボルのシーケンスに対してＡＧＣを実行する別の設計を示す。この設計において、各受信ＯＦＤＭシンボルは、異なる１組の送信機からの信号を含んでいてもよい。端末Ａは、最初のＯＦＤＭシンボルに対して、初期受信機利得ｇinit1を決定および適用してもよい。端末Ａは、（例えば、最初のＳ個のサンプルを廃棄した後に）最初のＯＦＤＭシンボルのサイクリックプレフィックス中のサンプルの電力を測定してもよく、測定電力ＰCP1を取得してもよい。端末Ａは次に、測定電力ＰCP1に基づいて、受信機利得を調整してもよく、最初のＯＦＤＭシンボルの有効部分に対して、調整された受信機利得ｇadj1を使用してもよい。
【００４６】
端末Ａは、各後続のＯＦＤＭシンボルに対してプロセスを繰り返してもよい。端末Ａは、各受信ＯＦＤＭシンボルに対して、初期受信機利得ｇinitnを決定および適用してもよい。端末Ａは、受信ＯＦＤＭシンボルのサイクリックプレフィックスに対する測定電力に基づいて、受信機利得を調整してもよく、受信ＯＦＤＭシンボルの残りに対して、調整された受信機利得ｇadjnを使用してもよい。端末Ａは、シーケンス中の各受信ＯＦＤＭシンボルに対して、独立してＡＧＣを実行してもよい。
【００４７】
端末Ａは、さまざまな方法で、受信ＯＦＤＭシンボルに対して初期受信機利得を決定してもよい。１つの設計において、端末Ａは、初期受信機利得を、例えば、高い受信機利得、中間の受信機利得、低い受信機利得などのような、予め定められている値に設定してもよい。別の設計において、端末Ａは、シンボル期間中に受信することが予期される送信機の受信電力レベルに基づいて、初期受信機利得を設定してもよい。さらに別の設計において、端末Ａは、異なる受信機利得のパターンを有していてもよく、パターンを繰り返してもよい。端末Ａは、初期受信機利得を、パターン中の適用可能な受信機利得に設定してもよい。端末Ａはまた、他の方法で初期受信機利得を設定してもよい。
【００４８】
図８は、時間ホッピングおよび周波数ホッピングを有する、ピアディスカバリ信号の例示的な送信を示す。ピアディスカバリフレームは、複数のスロットに及んでいてもよく、リソースブロックに分割されていてもよい。各リソースブロックは、１つのスロットにおいて１組の１本以上の副搬送波をカバーしてもよい。一般に、ピアディスカバリフレームは、Ｑ個のスロットにおけるＰ個の副搬送波の組により形成された、Ｐ＊Ｑ個のリソースブロックを含んでいてもよい。図８中で示した例では、Ｐ＝３、Ｑ＝３であり、ピアディスカバリフレームは、３つのスロット１、２および３中の３つの副搬送波の組により形成された、９個のリソースブロックを含んでいる。９台の端末１ないし９が、各ピアディスカバリフレーム中の９個のリソースブロック上で、それらのピアディスカバリ信号を送信してもよい。図８において、各リソースブロック（ｐ、ｑ）は、ピアディスカバリ信号に対して、そのリソースブロックを使用する端末を示すラベルｋを有する。ここで、ｐ∈｛１、２、３｝、ｑ∈｛１、２、３｝およびｋ∈｛１、．．．、９｝である。例えば、端末５は、ピアディスカバリフレームｔにおいてリソースブロック（２、２）を使用し、ピアディスカバリフレームｔ＋１においてリソースブロック（３、１）を使用し、ピアディスカバリフレームｔ＋２においてリソースブロック（１、３）を使用する。
【００４９】
端末Ａは、ピアディスカバリフレームｔにおける端末１ないし９からのピアディスカバリ信号の受信電力レベルを測定してもよい。端末Ａは、既知のホッピング関数と既知のフレームタイミングとに基づいて、ピアディスカバリフレームｔ＋１中で各ピア端末により使用されるリソースブロックを確認でき得る。端末Ａは、次のように、端末１ないし９に対する測定された受信電力レベルに基づいて、ピアディスカバリフレームｔ＋１中の各スロットに対して、予測される受信電力レベルを計算してもよい：
【数３】
0005497071.tif 000005
【００５０】
ここで、ＰRX,k（ｔ）は、ピアディスカバリフレームｔ中のピア端末ｋからのピアディスカバリ信号の受信電力レベルであり、ＰPRE,q（ｔ＋１）は、ピアディスカバリフレームｔ＋１中のスロットｑに対する、予測される受信電力レベルである。
【００５１】
端末Ａは、次のように、ピアディスカバリフレームｔ＋１中の各スロットに対して、初期受信機利得を決定してもよい：
【数４】
0005497071.tif 000006
【００５２】
ここで、ＰPDS_targetは、ピアディスカバリ信号に対するターゲット電力レベルであり、ｇinit,PDS,q（ｔ＋１）は、ピアディスカバリフレームｔ＋１中のスロットｑに対する、初期受信機利得である。
【００５３】
端末Ａは、ピアディスカバリフレームｔ＋１中の各スロットに対して、初期受信機利得を取得してもよい。各スロットに対する初期受信機利得は、例えば、数式の組（３）中で示されているように、そのスロット中で受信することが予期されるピア端末に対する受信電力レベルに依存してもよい。各スロットに対する初期受信機利得は、初期受信機利得によりスケーリングした後に、そのスロットに対する総受信電力レベルがターゲット電力レベルであるかまたはそれに近い電力レベルであるようなものであってもよい。
【００５４】
図８中で示したように、各スロットは、Ｗ個のシンボル期間を含んでいてもよい。同じ組の端末が、１つのスロットのすべてのＷ個のシンボル期間中で、それらのピアディスカバリ信号を送信してもよい。図７Ａに対して上述したように、端末Ａは、各スロット中のＷ個の受信ＯＦＤＭシンボルに対してＡＧＣを実行してもよい。
【００５５】
図９は、クイックページング信号の例示的な送信を示す。ページングフレームは、ＱＰＣＨサブフレームとＰＣＨサブフレームとを含んでいてもよい。ＱＰＣＨサブフレームは、複数（例えば、５）のシンボル期間に及んでいてもよく、リソース要素に分割されていてもよい。各リソース要素は、１つのシンボル期間中で１組の１つ以上の副搬送波をカバーしてもよい。各端末には、各ＱＰＣＨサブフレーム中の固有のリソース要素が割り当てられていてもよい。割り当てられているリソース要素は、静的であってもよく（図９中で示していない）、または、（図９中で示すように）ＱＰＣＨサブフレームごとにホップしてもよい。所定の端末Ｘが、（ｉ）端末Ａに割り当てられているリソース要素上でクイックページング信号を送ることにより、および、（ｉｉ）後に続くＰＣＨサブフレーム中でページング信号を端末Ａに送ることにより、端末Ａをページングしてもよい。
【００５６】
図９中で示していない１つの設計において、端末Ａは、固定された初期受信機利得を使用して、ピア端末からクイックページング信号を受信してもよい。この固定された初期受信機利得は、低い受信機利得、中間の受信機利得、高い受信機利得などであってもよい。
【００５７】
図９中で示されている別の設計において、端末Ａは、異なるＱＰＣＨサブフレームに対して、異なる初期受信機利得を使用してもよい。端末Ａは、異なる受信機利得のパターンを有していてもよく、パターンを繰り返して、各ＱＰＣＨサブフレームに対して初期受信機利得を選択してもよい。図９中で示されている例において、パターンは、低い受信機利得、中間の受信機利得、および高い受信機利得を含んでいる。端末Ａは、ＱＰＣＨフレームｔに対して、低い初期受信機利得、次に、ＱＰＣＨサブフレームｔ＋１に対して、中間の初期受信機利得、次に、ＱＰＣＨサブフレームｔ＋２に対して、高い初期受信機利得、次に、ＱＰＣＨフレームｔ＋３に対して、再度、低い初期受信機利得、などを使用してもよい。
【００５８】
両方の設計に対して、他の端末は、各ＱＰＣＨサブフレームに対して端末Ａにより使用される初期受信機利得を知っていてもよい。各端末はまた、その端末から端末Ａまでのパス損失を知っていてもよい。所定の端末Ｘは、（ｉ）適切なＱＰＣＨサブフレームを選択して、クイックページング信号を端末Ａに送り、（ｉｉ）端末Ｘから端末Ａまでのパス損失と、ＱＰＣＨサブフレームに対する初期受信機利得と、ターゲットの入力電力レベルとに基づいて、クイックページング信号に対する送信電力レベルを計算してもよい。
【００５９】
端末Ａは、各ＱＰＣＨサブフレーム中の、その割り当てられているリソース要素を含んでいる受信ＯＦＤＭシンボルを処理してもよい。受信ＯＦＤＭシンボルに対する受信電力レベルは、（ｉ）クイックページング信号が端末Ａに割り当てられているリソース要素中で端末Ａに送られているかどうかに、および、（ｉｉ）クイックページング信号が他のリソース要素中で他の端末に送られているかどうかに、依存してもよい。端末Ａは、上述した設計のうちの１つに基づいて、初期受信機利得を選択してもよい。図６に対して上述したように、端末Ａは、受信ＯＦＤＭシンボルに対してＡＧＣを実行してもよい。端末Ａは、サイクリックプレフィックス中のサンプルの電力を測定し、測定電力に基づいて、受信機利得を調整し、有効部に対して、調整された受信機利得を使用してもよい。
【００６０】
端末Ａは、ＱＰＣＨサブフレーム中の、その割り当てられているリソース要素上で、クイックページング信号を検出してもよい。端末Ａは次に、関連するＰＣＨサブフレームを処理して、端末Ａに対して送られたページング信号を検出してもよい。端末Ａは、ＱＰＣＨサブフレームに対して取得した、調整された受信機利得を、ＰＣＨサブフレームに対する初期受信機利得として使用してもよい。端末Ａに割り当てられているリソース要素を含んでいるＯＦＤＭシンボル中でクイックページング信号を送信する１組の端末は、ＰＣＨサブフレーム中でページング信号を送信する１組の端末とは異なっていてもよい。さらに、ＰＣＨサブフレームは、複数のリソース要素に分割されていてもよく、異なる端末が、ＰＣＨサブフレーム中のリソース要素の異なるサブセット上で、それらのページング信号を送信してもよい。したがって、端末Ａは、例えば、図７Ａまたは７Ｂ中で示されているように、ＰＣＨサブフレーム中の受信ＯＦＤＭシンボルに対してＡＧＣを実行してもよい。
【００６１】
端末Ａは、ＰＣＨサブフレーム中でページング信号を受信してもよく、その後、トラフィックフレーム中で制御情報とデータとを受信してもよい。１つの設計において、端末Ａは、ＰＣＨサブフレームに対して取得した、調整された受信機利得を、トラフィックフレームに対する初期受信機利得として使用してもよい。
【００６２】
トラフィック制御チャネルを、複数のシンボル期間中で送ってもよい。１つの設計において、異なる１組の端末が、各シンボル期間中のトラフィック制御チャネル上で制御情報を送ってもよい。このケースにおいて、例えば、図７Ｂ中で示されているように、端末Ａは、トラフィック制御チャネルに対する各受信ＯＦＤＭシンボルに対して、独立してＡＧＣを実行してもよい。
【００６３】
データチャネルを、複数のスロット中で送ってもよく、各スロットは、複数のシンボル期間をカバーしてもよい。１つの設計において、１つの端末だけが、各スロット中のデータチャネル上でデータを送ってもよい。別の設計において、複数の端末が、同じスロット中のデータチャネル上でデータを同時に送ってもよい。両方の設計に対して、例えば、図７Ａまたは７Ｂ中で示されているように、端末Ａは、スロット中の受信ＯＦＤＭシンボルに対してＡＧＣを実行してもよい。
【００６４】
ここで記述したＡＧＣ技術は、いくつかの利点を提供する。第１に、各ＯＦＤＭベースのシンボルに対してすでに送信されているサイクリックプレフィックスに基づいて、ＡＧＣを実行してもよい。いかなる追加のオーバーヘッドも（例えば、ＯＦＤＭベースのシンボルの前部におけるプリアンブルも）、ＡＧＣをサポートするのに必要としない。第２に、異なる送信機からの信号の効率的な多重化をサポートできる。例えば、異なる組の送信機が、例えば、ＱＰＣＨおよびトラフィック制御チャネルに対して、連続するＯＦＤＭベースのシンボル中で信号を送ってもよい。ＡＧＣを各ＯＦＤＭベースのシンボルに対して実行して、そのＯＦＤＭベースのシンボル中で送信している１組の送信機に対して良好な受信性能を取得してもよい。
【００６５】
図１０は、受信機によりＡＧＣを実行するためのプロセス１０００の設計を示し、受信機は、端末、基地局、または、他の何らかのエンティティの一部であってもよい。受信機は、サイクリックプレフィックスおよび有効部分を含んでいる第１のＯＦＤＭベースのシンボル（例えば、ＯＦＤＭシンボルまたはＳＣ−ＦＤＭシンボル）を受信してもよい（ブロック１０１２）。受信機は、初期受信機利得に基づいて、第１のＯＦＤＭベースのシンボルをスケーリングしてもよい（例えば、増幅するか、または減衰させてもよい）（ブロック１０１４）。受信機は、第１のＯＦＤＭベースのシンボルのサイクリックプレフィックスに基づいて、初期受信機利得を調整して、調整された受信機利得を取得してもよい（ブロック１０１６）。受信機は、第１のＯＦＤＭベースのシンボルの有効部分に先立って、調整された受信機利得を適用してもよい（ブロック１０１８）。受信機は次に、有効部分を処理して、少なくとも１つの送信機により送られた少なくとも１つの信号を回復してもよい（ブロック１０２０）。
【００６６】
受信機は、初期受信機利得を選択して、この初期受信機利得を、第１のＯＦＤＭベースのシンボルの開始に適用してもよい。１つの設計において、例えば、図８中で示されているように、受信機は、第１のＯＦＤＭベースのシンボル中で送信することが予期される少なくとも１つの送信機を識別してもよい。受信機は、少なくとも１つの前のＯＦＤＭベースのシンボル中で各送信機から受信した信号に基づいて、各送信機に対する受信電力レベルを決定してもよい。受信機は、各送信機の受信電力レベルに基づいて、予測される受信電力レベルを決定してもよく、例えば、数式（４）中で示されているように、予測した受信電力レベルに基づいて、初期受信機利得を決定してもよい。別の設計において、例えば、図９中で示されているように、受信機は、異なる受信機利得のパターンを繰り返すことにより、初期受信機利得を選択してもよい。さらに別の設計において、受信機は、例えば、高い受信機利得、中間の受信機利得または低い受信機利得のような、予め定められている値に、初期受信機利得を設定してもよい。受信機はまた、他の方法で、初期受信機利得を選択してもよい。
【００６７】
受信機は、さまざまな方法で、ブロック１０１６において初期受信機利得を調整してもよい。１つの設計において、受信機は、第１のＯＦＤＭベースのシンボルのサイクリックプレフィックス中の１組のサンプルの電力を測定してもよい。例えば、図６中で示されているように、１組のサンプルは、サイクリックプレフィックス中の、予め定められている数の最も早いサンプルを除外してもよい。例えば、数式（２）中で示されているように、受信機は、測定された電力と、第１のＯＦＤＭベースのシンボルに対するターゲット電力とに基づいて、初期受信機利得を調整してもよい。別の設計において、受信機は、１組のサンプルの中で、しきい値を超える電力を有するサンプルの数をカウントしてもよい。受信機は次に、しきい値を超える電力を有するサンプルの数に基づいて、初期受信機利得を調整してもよい。受信機はまた、他の方法で初期受信機利得を調整してもよい。
【００６８】
受信機は、第１のＯＦＤＭベースのシンボルに続いて、第２のＯＦＤＭベースのシンボルを受信してもよい。１つの設計において、例えば、図７Ａ中で示されているように、第１および第２のＯＦＤＭベースのシンボルは、同じ組の送信機を有していてもよい。受信機は、第１のＯＦＤＭベースのシンボルに対する、調整された受信機利得に基づいて、第２の受信機利得を決定してもよい。例えば、受信機は、第１のＯＦＤＭベースのシンボルの有効部分および／または第２のＯＦＤＭベースのシンボルのサイクリックプレフィックスに基づいて、調整された受信機利得を更新してもよい。受信機は次に、第２の受信機利得に基づいて、第２のＯＦＤＭベースのシンボルをスケーリングしてもよい。第１および第２のＯＦＤＭベースのシンボルは、ピアディスカバリチャネルや、データチャネルなどに対するものであってもよい。
【００６９】
別の設計において、例えば、図７Ｂ中で示されているように、第１および第２のＯＦＤＭベースのシンボルは、潜在的に、異なる組の送信機を有していてもよい。受信機は、第２の初期受信機利得に基づいて、第２のＯＦＤＭベースのシンボルをスケーリングしてもよく、第２の初期受信機利得は、上述した設計のいずれかに基づいて決定してもよい。受信機は、第２のＯＦＤＭベースのシンボルのサイクリックプレフィックスに基づいて、第２の初期受信機利得を調整して、第２の調整された受信機利得を取得してもよい。受信機は次に、第２のＯＦＤＭベースのシンボルの有効部分に先立って、第２の調整された受信機利得を適用してもよい。第１および第２のＯＦＤＭベースのシンボルは、トラフィック制御チャネル、クイックページングチャネル、ページングチャネルなどに対するものであってもよい。
【００７０】
図１１は、ＡＧＣを実行する装置１１００の設計を示す。装置１１００は、サイクリックプレフィックスおよび有効部分を含んでいるＯＦＤＭベースのシンボルを受信するモジュール１１１２と、初期受信機利得に基づいて、ＯＦＤＭベースのシンボルをスケーリングするモジュール１１１４と、ＯＦＤＭベースのシンボルのサイクリックプレフィックスに基づいて、初期受信機利得を調整して、調整された受信機利得を取得するモジュール１１１６と、ＯＦＤＭベースのシンボルの有効部分に先立って、調整された受信機利得を適用するモジュール１１１８と、有効部分を処理して、少なくとも１つの送信機により送られた少なくとも１つの信号を回復するモジュール１１２０とを含む。図１１中のモジュールは、プロセッサ、エレクトロニクスデバイス、ハードウェアデバイス、エレクトロニクスコンポーネント、論理回路、メモリなど、あるいは、これらの組み合わせを含んでいてもよい。
【００７１】
図１２は、端末１２０ａおよび１２０ｂの設計のブロック図を示す。端末１２０ａおよび１２０ｂは、図１中のワイヤレスネットワーク１００における２つの端末である。この設計において、端末１２０ａは、Ｕ本のアンテナ１２３４ａないし１２３４ｕを備えおり、端末１２０ｂは、Ｖ本のアンテナ１２５２ａないし１２５２ｖを備えている。ここで、一般に、Ｕ≧１およびＶ≧１である。
【００７２】
端末１２０ａにおいて、送信プロセッサ１２２０は、データ源１２１２からデータと、制御装置／プロセッサ１２４０から制御情報とを受け取る。制御情報は、図３中で示されているチャネルのいずれかにおいて送る情報を含んでいてもよい。送信プロセッサ１２２０は、それぞれ、データおよび制御情報を処理して（例えば、エンコードし、インターリーブし、変調する）、データシンボルおよび制御シンボルを提供してもよい。１つ以上のＵＥに対するデータ（例えば、トランスポートブロック）を受け取り、各ＵＥに対する１つ以上のＭＣＳ値に基づいて、そのＵＥに対するデータを処理し、すべてのＵＥに対するデータシンボルを提供する。送信（ＴＸ）複数入力複数出力（ＭＩＭＯ）プロセッサ１２３０は、該当する場合には、データシンボル、制御シンボルおよび／またはパイロットシンボルに対して空間処理（例えば、プリコーディング）を実行してもよく、Ｕ個の出力シンボルストリームを、Ｕ個の変調器（ＭＯＤ）１２３２ａないし１２３２ｕに提供してもよい。各変調器１２３２は、（例えば、ＯＦＤＭ、ＳＣ−ＦＤＭなどに対する）それぞれの出力シンボルストリームを処理して、出力サンプルストリームを取得してもよい。各変調器１２３２はさらに、出力サンプルストリームを処理して（例えば、アナログに変換し、増幅し、フィルタリングし、アップコンバートする）、無線周波数（ＲＦ）信号を取得してもよい。変調器１２３２ａないし１２３２ｕからのＵ個のＲＦ信号は、それぞれ、Ｕ本のアンテナ１２３４ａないし１２３４ｕを通して送信してもよい。
【００７３】
端末１２０ｂにおいて、アンテナ１２５２ａないし１２５２ｖは、端末１２０ａからＲＦ信号を受信してもよく、受信した信号を、それぞれ、復調器（ＤＥＭＯＤ）１２５４ａないし１２５４ｖに提供してもよい。各復調器１２５４は、それぞれの受信信号を調整して（例えば、フィルタリングし、増幅し、ダウンコンバートし、デジタル化する）、受信サンプルを取得してもよい。各復調器１２５４はさらに、（例えば、ＯＦＤＭ、ＳＣ−ＦＤＭなどに対する）受信サンプルを処理して、受信シンボルを取得してもよい。ＭＩＭＯ検出器１２５６は、すべてのＶ個の復調器１２５４ａないし１２５４ｖから受信シンボルを取得し、該当する場合には、受信シンボルに対してＭＩＭＯ検出を実行し、検出されたシンボルを提供してもよい。受信プロセッサ１２５８は、検出されたシンボルを処理し（例えば、復調し、デインターリーブし、デコードする）、デコードされたデータをデータシンク１２６０に提供し、デコードされた制御情報を制御装置／プロセッサ１２８０に提供してもよい。
【００７４】
端末１２０ｂにおいて、データ源１２６２からのデータと、制御装置／プロセッサ１２８０からの制御情報は、送信プロセッサ１２６４により処理され、該当する場合にはＴＸ ＭＩＭＯプロセッサ１２６６によりプリコードされ、さらに、変調器１２５４により処理され、アンテナ１２５２により送信されてもよい。端末１２０ａにおいて、端末１２０ｂからのＲＦ信号は、アンテナ１２３４により受信され、復調器１２３２により処理され、該当する場合にはＭＩＭＯ検出器１２３６により検出され、さらに受信プロセッサ１２３８により処理されて、端末１２０ｂにより送信されたデータおよび制御情報が取得されてもよい。
【００７５】
制御装置／プロセッサ１２４０および１２８０は、それぞれ、端末１２０ａおよび１２０ｂにおいて動作を指示してもよい。制御装置／プロセッサ１２４０および１２８０は、図１０中のプロセス１０００、および／または、ここで記述した技術に対する他のプロセスを実行または指示してもよい。メモリ１２４２および１２８２は、それぞれ、端末１２０ａおよび１２０ｂに対するデータおよびプログラムコードを記憶してもよい。復調器１２３２および１２５４は、上述したように、受信ＯＦＤＭシンボルのサイクリックプレフィックスに基づいて、ＡＧＣを実行してもよい。
【００７６】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００７７】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【００７８】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００７９】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００８０】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００８１】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
以下に、本願出願の当初の特許請求の範囲に記載された発明を付記する。
［１］ワイヤレス通信のための方法において、
サイクリックプレフィックスと有効部分とを含んでいる、第１の直交周波数分割多重（ＯＦＤＭ）ベースのシンボルを受信することと、
初期受信機利得に基づいて、前記第１のＯＦＤＭベースのシンボルをスケーリングすることと、
前記第１のＯＦＤＭベースのシンボルのサイクリックプレフィックスに基づいて、前記初期受信機利得を調整することとを含む方法。
［２］前記第１のＯＦＤＭベースの有効部分に先立って、前記調整された受信機利得を適用することと、
前記有効部分を処理して、少なくとも１つの送信機により送られた少なくとも１つの信号を回復することとをさらに含む上記［１］記載の方法。
［３］前記初期受信機利得を調整することは、
前記第１のＯＦＤＭベースのシンボルのサイクリックプレフィックス中の１組のサンプルの電力を測定することと、
前記測定された電力に基づいて、前記初期受信機利得を調整することとを含む上記［１］記載の方法。
［４］前記初期受信機利得は、前記第１のＯＦＤＭベースのシンボルに対するターゲット電力にさらに基づいて調整される上記［３］記載の方法。
［５］前記１組のサンプルは、前記サイクリックプレフィックス中の、予め定められている数の最も早いサンプルを除外する上記［３］記載の方法。
［６］前記初期受信機利得を調整することは、
前記第１のＯＦＤＭベースのシンボルのサイクリックプレフィックス中の１組のサンプルの中で、しきい値を超える電力を有するサンプルの数をカウントすることと、
前記しきい値を超える電力を有するサンプルの数に基づいて、前記初期受信機利得を調整することとを含む上記［１］記載の方法。
［７］前記初期受信機利得を選択することと、
前記第１のＯＦＤＭベースのシンボルの開始において、前記初期受信機利得を適用することとをさらに含む上記［１］記載の方法。
［８］前記初期受信機利得を選択することは、
前記第１のＯＦＤＭベースのシンボルにおいて送信することが予期される少なくとも１つの送信機を識別することと、
前記少なくとも１つの送信機に対する、予測される受信電力レベルに基づいて、前記初期受信機利得を決定することとを含む上記［７］記載の方法。
［９］前記初期受信機利得を選択することは、
少なくとも１つの前のＯＦＤＭベースのシンボルにおける前記少なくとも１つの送信機から受信した信号に基づいて、前記少なくとも１つの送信機のそれぞれに対する受信電力レベルを決定することと、
前記少なくとも１つの送信機のそれぞれの受信電力レベルに基づいて、前記予測される受信電力レベルを決定することとをさらに含む上記［８］記載の方法。
［１０］前記初期受信機利得を選択することは、異なる受信機利得のパターンを繰り返すことにより、前記初期受信機利得を選択することを含む上記［７］記載の方法。
［１１］前記初期受信機利得を選択することは、前記初期受信機利得を予め定められている値に設定することを含む上記［７］記載の方法。
［１２］前記第１のＯＦＤＭベースのシンボルに続いて、第２のＯＦＤＭベースのシンボルを受信することと、
前記第１のＯＦＤＭベースのシンボルに対する前記調整された受信機利得に基づいて、第２の受信機利得を決定することと、
前記第２の受信機利得に基づいて、前記第２のＯＦＤＭベースのシンボルをスケーリングすることとをさらに含み、
前記第１および第２のＯＦＤＭベースのシンボルは、同じ組の送信機を有する上記［１］記載の方法。
［１３］第２の受信機利得を決定することは、前記第１のＯＦＤＭベースのシンボルの有効部分と、前記第２のＯＦＤＭベースのシンボルのサイクリックプレフィックスとのうちの少なくとも１つに基づいて、前記調整された受信機利得を更新して、前記第２の受信機利得を取得することを含む上記［１２］記載の方法。
［１４］前記第１および第２のＯＦＤＭベースのシンボルは、ピアディスカバリチャネルまたはデータチャネルに対するものである上記［１２］記載の方法。
［１５］前記第１のＯＦＤＭベースのシンボルに続いて、第２のＯＦＤＭベースのシンボルを受信することと、
第２の初期受信機利得に基づいて、前記第２のＯＦＤＭベースのシンボルをスケーリングすることと、
前記第２のＯＦＤＭベースのシンボルのサイクリックプレフィックスに基づいて、前記第２の初期受信機利得を調整することとをさらに含み、
前記第１および第２のＯＦＤＭベースのシンボルは、異なる組の送信機を潜在的に有する上記［１］記載の方法。
［１６］前記第１および第２のＯＦＤＭベースのシンボルは、トラフィック制御チャネル、クイックページングチャネルまたはページングチャネルに対するものである上記［１５］記載の方法。
［１７］前記第１のＯＦＤＭベースのシンボルは、ＯＦＤＭシンボルまたは単一搬送波周波数分割多重（ＳＣ−ＦＤＭ）シンボルを含む上記［１］記載の方法。
［１８］ワイヤレス通信のための装置において、
サイクリックプレフィックスと有効部分とを含んでいる、第１の直交周波数分割多重（ＯＦＤＭ）ベースのシンボルを受信し、初期受信機利得に基づいて、前記第１のＯＦＤＭベースのシンボルをスケーリングし、前記第１のＯＦＤＭベースのシンボルのサイクリックプレフィックスに基づいて、前記初期受信機利得を調整するように構成されている少なくとも１つのプロセッサを具備する装置。
［１９］前記少なくとも１つのプロセッサは、前記第１のＯＦＤＭベースのシンボルのサイクリックプレフィックス中の１組のサンプルの電力を測定し、前記測定された電力に基づいて、前記初期受信機利得を調整するように構成されている上記［１８］記載の装置。
［２０］前記少なくとも１つのプロセッサは、前記第１のＯＦＤＭベースのシンボルにおいて送信することが予期される少なくとも１つの送信機を識別し、前記少なくとも１つの送信機に対する、予測される受信電力レベルに基づいて、前記初期受信機利得を決定し、前記第１のＯＦＤＭベースのシンボルの開始において、前記初期受信機利得を適用するように構成されている上記［１８］記載の装置。
［２１］前記少なくとも１つのプロセッサは、異なる受信機利得のパターンを繰り返すことにより、前記初期受信機利得を選択し、前記第１のＯＦＤＭベースのシンボルの開始において、前記初期受信機利得を適用するように構成されている上記［１８］記載の装置。
［２２］前記少なくとも１つのプロセッサは、前記第１のＯＦＤＭベースのシンボルに続いて、第２のＯＦＤＭベースのシンボルを受信し、前記第１のＯＦＤＭベースのシンボルに対する前記調整された受信機利得に基づいて、第２の受信機利得を決定し、前記第２の受信機利得に基づいて、前記第２のＯＦＤＭベースのシンボルをスケーリングするように構成されており、
前記第１および第２のＯＦＤＭベースのシンボルは、同じ組の送信機を有する上記［１８］記載の装置。
［２３］前記少なくとも１つのプロセッサは、前記第１のＯＦＤＭベースのシンボルに続いて、第２のＯＦＤＭベースのシンボルを受信し、第２の初期受信機利得に基づいて、前記第２のＯＦＤＭベースのシンボルをスケーリングし、前記第２のＯＦＤＭベースのシンボルのサイクリックプレフィックスに基づいて、前記第２の初期受信機利得を調整するように構成されており、
前記第１および第２のＯＦＤＭベースのシンボルは、異なる組の送信機を潜在的に有する上記［１８］記載の装置。
［２４］ワイヤレス通信のための装置において、
サイクリックプレフィックスと有効部分とを含んでいる、第１の直交周波数分割多重（ＯＦＤＭ）ベースのシンボルを受信する手段と、
初期受信機利得に基づいて、前記第１のＯＦＤＭベースのシンボルをスケーリングする手段と、
前記第１のＯＦＤＭベースのシンボルのサイクリックプレフィックスに基づいて、前記初期受信機利得を調整する手段とを具備する装置。
［２５］前記初期受信機利得を調整する手段は、
前記第１のＯＦＤＭベースのシンボルのサイクリックプレフィックス中の１組のサンプルの電力を測定する手段と、
前記測定された電力に基づいて、前記初期受信機利得を調整する手段とを備える上記［２４］記載の装置。
［２６］前記第１のＯＦＤＭベースのシンボルにおいて送信することが予期される少なくとも１つの送信機を識別する手段と、
前記少なくとも１つの送信機に対する、予測される受信電力レベルに基づいて、前記初期受信機利得を決定する手段と、
前記第１のＯＦＤＭベースのシンボルの開始において、前記初期受信機利得を適用する手段とをさらに具備する上記［２４］記載の装置。
［２７］異なる受信機利得のパターンを繰り返すことにより、前記初期受信機利得を選択する手段と、
前記第１のＯＦＤＭベースのシンボルの開始において、前記初期受信機利得を適用する手段とをさらに具備する上記［２４］記載の装置。
［２８］前記第１のＯＦＤＭベースのシンボルに続いて、第２のＯＦＤＭベースのシンボルを受信する手段と、
前記第１のＯＦＤＭベースのシンボルに対する前記調整された受信機利得に基づいて、第２の受信機利得を決定する手段と、
前記第２の受信機利得に基づいて、前記第２のＯＦＤＭベースのシンボルをスケーリングする手段とをさらに具備し、
前記第１および第２のＯＦＤＭベースのシンボルは、同じ組の送信機を有する上記［２４］記載の装置。
［２９］前記第１のＯＦＤＭベースのシンボルに続いて、第２のＯＦＤＭベースのシンボルを受信する手段と、
第２の初期受信機利得に基づいて、前記第２のＯＦＤＭベースのシンボルをスケーリングする手段と、
前記第２のＯＦＤＭベースのシンボルのサイクリックプレフィックスに基づいて、前記第２の初期受信機利得を調整する手段とをさらに具備し、
前記第１および第２のＯＦＤＭベースのシンボルは、異なる組の送信機を潜在的に有する上記［２４］記載の装置。
［３０］コンピュータプログラムプロダクトにおいて、
コンピュータ読み取り可能媒体を具備し、
前記コンピュータ読み取り可能媒体は、
少なくとも１つのコンピュータに、サイクリックプレフィックスと有効部分とを含んでいる直交周波数分割多重（ＯＦＤＭ）ベースのシンボルを受信させるためのコードと、
前記少なくとも１つのコンピュータに、初期受信機利得に基づいて、前記ＯＦＤＭベースのシンボルをスケーリングさせるためのコードと、
前記少なくとも１つのコンピュータに、前記ＯＦＤＭベースのシンボルのサイクリックプレフィックスに基づいて、前記初期受信機利得を調整させるためのコードとを含むコンピュータプログラムプロダクト。
【図１】
0005497071.tif 000013
【図２】
0005497071.tif 000014
【図３】
0005497071.tif 000015
【図４Ａ】
0005497071.tif 000016
【図４Ｂ】
0005497071.tif 000017
【図４Ｃ】
0005497071.tif 000018
【図５】
0005497071.tif 000019
【図６】
0005497071.tif 000020
【図７Ａ】
0005497071.tif 000021
【図７Ｂ】
0005497071.tif 000022
【図８】
0005497071.tif 000023
【図９】
0005497071.tif 000024
【図１０】
0005497071.tif 000025
【図１１】
0005497071.tif 000026
【図１２】
0005497071.tif 000027